(57)【要約】【課題】印刷用紙に印刷される画像の色合いを、表示デバイス上で忠実に再現する。【解決手段】ソフトプルーフシステム５は、カラープリンター４０による印刷用紙への印刷、およびカラーディスプレイ３０への表示の何れの場合であっても、入力された画像データに対して、入力プロファイル、作業プロファイルおよび出力プロファイルの少なくとも３つの異なる色変換プロファイルを順次関連付けることにより色変換を行うため、印刷用紙に印刷される画像の色合いをと、表示デバイスに表示される画像の色合いとの差異を軽減する。【選択図】図１
2010166113.tif 000002
【特許請求の範囲】
【請求項１】
印刷媒体および表示媒体へ出力される画像データであって、入力された前記画像データ対して、少なくとも３つの異なる色変換プロファイルを順次関連付けることにより色変換を行う機能をコンピューターに実行させることを特徴とする色変換プログラム。
【請求項２】
請求項１に記載の色変換プログラムにおいて、
前記色変換プロファイルは、
入力色空間を第１のプロファイル接続空間に変換する第１のプロファイルと、
前記第１のプロファイル接続空間を第２のプロファイル接続空間に変換する第２のプロファイルと、
前記第２のプロファイル接続空間を前記印刷媒体に応じた出力色空間に変換する第３のプロファイルと、を含み、
前記第１のプロファイル、前記第２のプロファイルおよび前記第３のプロファイルの順序で関連付けることを特徴とする色変換プログラム。
【請求項３】
請求項２に記載の色変換プログラムにおいて、
前記第２のプロファイルは、前記第１のプロファイル接続空間に変換された前記画像データが加工や編集された場合に関連付けることを特徴とする色変換プログラム。
【請求項４】
請求項１乃至３のいずれか１項に記載の色変換プログラムにおいて、
前記画像データを前記表示媒体に表示する場合、
前記表示媒体に応じた色変換プロファイルを更に関連付けることを特徴とする色変換プログラム。
【請求項５】
請求項２乃至４のいずれか１項に記載の色変換プログラムにおいて、
前記第２のプロファイルは、前記画像データが示す画像の被写体に応じて選択されることを特徴とする色変換プログラム。
【請求項６】
請求項１乃至４のいずれか１項に記載の色変換プログラムにおいて、
それぞれの前記色変換プロファイルは、ユーザーにより予め指定されていることを特徴とする色変換プログラム。
【請求項７】
印刷媒体および表示媒体へ出力される画像データであって、入力された前記画像データに対して、少なくとも３つの異なる色変換プロファイルを順次関連付けることにより色変換を行う工程を備えることを特徴とする色変換方法。
【発明の詳細な説明】
【技術分野】
【０００１】
本発明は、色変換プログラムおよび色変換方法に関する。
【背景技術】
【０００２】
近年、印刷の仕上がり色を確認する手法として、ソフトプルーフによる手法が用いられている。ソフトプルーフによる手法とは、印刷物を作成するに際して、実際に出力デバイスで印刷する前に、表示装置に印刷する画像を表示し、印刷の仕上がり色を確認する手法をいう。
ソフトプルーフでは、入出力デバイスの特性に応じた色変換を行う必要があり、このような色変換は、下記特許文献１で示すように色変換プロファイルを入出力デバイスの特性に応じて作成し、作成した色変換プロファイルを適用することで所望の色変換を実現する。
このような色変換プロファイルは、ＩＣＣ（Ｉｎｔｅｒｎａｔｉｏｎａｌ  Ｃｏｌｏｒ  Ｃｏｎｓｏｒｔｉｕｍ）の規格に従ったプロファイルが使用されることが多い。例えば、プロファイルは、デジタルカメラやスキャナー等の入力デバイスに応じたソースプロファイルと、ディスプレイモニター等の表示デバイスに応じたデスティネーションプロファイルの２種類のプロファイルが通常使用される。
【０００３】
【特許文献１】特開２００５−９４４００号公報
【発明の開示】
【発明が解決しようとする課題】
【０００４】
しかしながら、ソースプロファイルとデスティネーションプロファイルによる色変換では、印刷用紙に印刷される画像の色合いと、表示デバイスに表示される画像の色合いとの差異が生じるため、印刷用紙に印刷される画像の色合いを、表示デバイス上で忠実に再現できなかった。
【課題を解決するための手段】
【０００５】
本発明は、上述の課題の少なくとも一部を解決するためになされたものであり、以下の形態または適用例として実現することが可能である。
【０００６】
［適用例１］
本適用例にかかる色変換プログラムは、印刷媒体および表示媒体へ出力される画像データであって、入力された前記画像データ対して、少なくとも３つの異なる色変換プロファイルを順次関連付けることにより色変換を行う機能をコンピューターに実行させることを特徴とする。
【０００７】
このようなプログラムによれば、少なくとも３つの異なる色変換プロファイルを、出力される画像データに対して順次関連付けることにより色変換を行うため、同一の色変換プロファイルで色変換されるため、印刷用紙に印刷される画像の色合いと、表示デバイスに表示される画像の色合いとの差異を軽減でき、印刷用紙に印刷される画像の色合いを、表示デバイス上で忠実に再現できる。
【０００８】
［適用例２］
上記適用例にかかる色変換プログラムにおいて、前記色変換プロファイルは、入力色空間を第１のプロファイル接続空間に変換する第１のプロファイルと、前記第１のプロファイル接続空間を第２のプロファイル接続空間に変換する第２のプロファイルと、前記第２のプロファイル接続空間を前記印刷媒体に応じた出力色空間に変換する第３のプロファイルと、を含み、前記第１のプロファイル、前記第２のプロファイルおよび前記第３のプロファイルの順序で関連付けても良い。
【０００９】
［適用例３］
上記適用例にかかる色変換プログラムにおいて、前記第２のプロファイルは、前記第１のプロファイル接続空間に変換された前記画像データが加工や編集された場合に関連付けることが好ましい。
このようなプログラムによれば、加工や編集された画像データに対して、色変換されるため、加工された画像が印刷用紙に印刷されるイメージと、表示デバイスに表示されるイメージとの差異を軽減でき、印刷用紙に印刷される画像のイメージを、表示デバイス上で忠実に再現できる。
【００１０】
［適用例４］
上記適用例にかかる色変換プログラムにおいて、前記画像データを前記表示媒体に表示する場合、前記表示媒体に応じた色変換プロファイルを更に関連付けても良い。
【００１１】
［適用例５］
上記適用例にかかる色変換プログラムにおいて、前記第２のプロファイルは、前記画像データが示す画像の被写体に応じて選択されても良い。
【００１２】
［適用例６］
上記適用例にかかる色変換プログラムにおいて、それぞれの前記色変換プロファイルは、ユーザーにより予め指定されても良い。
【００１３】
［適用例７］
本適用例にかかる色変換方法は、印刷媒体および表示媒体へ出力される画像データであって、入力された前記画像データに対して、少なくとも３つの異なる色変換プロファイルを順次関連付けることにより色変換を行う工程を備えることを特徴とする。
【００１４】
このような方法によれば、少なくとも３つの異なる色変換プロファイルを、出力される画像データに対して順次関連付けることにより色変換を行うため、同一の色変換プロファイルで色変換されるため、印刷用紙に印刷される画像の色合いと、表示デバイスに表示される画像の色合いとの差異を軽減でき、印刷用紙に印刷される画像の色合いを、表示デバイス上で忠実に再現できる。
【発明を実施するための最良の形態】
【００１５】
以下、色変換プログラムを適用したソフトプルーフシステムについて図面を参照して説明する。
【００１６】
（実施形態）
図１は、本発明の一実施形態としてのソフトプルーフシステム５のハードウェア構成の概略を示す構成図である。このソフトプルーフシステム５は、コンピューター装置１０、カラーディスプレイ３０およびカラープリンター４０を備え、カラープリンター４０で印刷する前に印刷する画像をカラーディスプレイ３０に表示し、印刷の仕上がりの色を確認するシステムである。
コンピューター装置１０は、ユーザーが使用する画像処理装置として構成された周知の汎用パソコンであり、各種制御を実行するＣＰＵ１２と、データを一時記憶するＲＡＭ２０と、各種制御プログラムを記憶するＲＯＭ２２と、各種アプリケーションプログラムや各種データファイルを記憶する大容量メモリーであるハードディスク装置１４と、ユーザーからの指示が入力される入力装置としてのキーボード１６やマウス１８と、カラーディスプレイ３０やカラープリンター４０と接続可能なインターフェイス２４を備え、これらはバス２６を介してデータ授受可能に接続されている。
ハードディスク装置１４には、カラープリンター４０へ印刷ジョブを送信して印刷処理を行うときに用いられるプリンタードライバーなどが記憶されている。また、コンピューター装置１０は、カラーディスプレイ３０に表示されたカーソル等をユーザーがキーボード１６やマウス１８を介して入力操作すると、その入力操作に応じた動作を実行する機能を有している。また、このコンピューター装置１０は、インストールされたプログラムに応じて、カラープリンター４０に対して印刷処理を指令したり、カラープリンター４０の情報を表示したりする。尚、カラープリンター４０は、ＣＭＹＫインクを吐出して印刷するインクジェット方式を想定し、カラーディスプレイ３０は、液晶パネルを想定するが、これらに限定されるものではない。
【００１７】
図２は、ソフトプルーフシステム５でソフトプルーフを実行するに際して、コンピューター装置１０上に構築されるアプリケーションプログラムが含むソフトプルーフ機能の一部を示すブロック図である。この図が示すように、画像データ入力部５０、プロファイル適用部６０、出力選択部７０、プリンターデバイス出力部８０およびモニターデバイス出力部９０を備えて構成される。また、プロファイル適用部６０は、入力プロファイル適用部６２、作業プロファイル適用部６４および出力プロファイル適用部６６を備える。これらの各機能部は、上述したコンピューター装置１０のハードウェアと、ソフトウェアとが協働することにより実現される。
画像データ入力部５０は、画像ファイルがオープンされ、カラー画像のデータが入力される。入力されたカラー画像のデータは、ＲＡＭ２０上の所定の場所に書き込まれる。
プロファイル適用部６０は、アプリケーションプログラムを構成する色変換プログラムとして実装される。本実施形態では、プロファイル適用部６０は、入力プロファイル適用部６２、作業プロファイル適用部６４および出力プロファイル適用部６６の順序で順次適用するように構成されている。尚、これらのプロファイルは、ルックアップテーブルのデータ形式、および変換マトリックスのデータ形式の何れでも良い。
最初に、入力プロファイル適用部６２は、入力されたカラー画像のデータの画像ファイルが備えるソースプロファイルを画像毎に適用することにより、入力色空間を第１のプロファイル接続空間（ＰＣＳ）に変換する機能を有する。尚、画像ファイルがソースプロファイルを備えない場合は、環境設定機能等でユーザーが予め指定したソースプロファイルが適用される。
【００１８】
次に、作業プロファイル適用部６４は、入力プロファイル適用部６２でソースプロファイルに関連付けされたデータに対して、作業プロファイルを適用することにより、第１のプロファイル接続空間を第２のプロファイル接続空間に変換する機能を有する。この場合、作業プロファイルは、ユーザーにより、レタッチ、トリミングや色トーン変換等のレイアウト変更を行って編集した画像に対して適用される。また、適用する作業プロファイルは、画像編集時等に指定されたｓＲＧＢ色空間のプロファイルや、ＡｄｏｂｅＲＧＢ（アドビ社の登録商標）色空間のプロファイルのようなカラースペースプロファイルを想定するが、これらに限定されず、ユーザーが作成したアブストラクトプロファイルでも良い。また、例えば、人物や風景毎に予め設定されたプロファイルを適用しても良く、更に、複数のプロファイルを組み合わせて１つにしたデバイスリンクプロファイルであっても良い。そして、作業プロファイルを適用した画像は、レイアウトの画像枠にそれぞれ流し込まれる。
次に、出力プロファイル適用部６６は、作業プロファイル適用部６４で作業プロファイルに関連付けされた画像データを含む出力画像データに対して、印刷媒体に応じたデスティネーションプロファイルを適用することにより、第２のプロファイル接続空間を所定の色空間に変換する機能を有する。本実施形態では、印刷用紙のような印刷媒体毎のＩＣＣプロファイルを適用する。ここで適用するＩＣＣプロファイルに関する情報は、プリンタードライバーから取得されるが、環境設定機能等でユーザーにより予め指定されても良い。
【００１９】
出力選択部７０は、プロファイル適用部６０で関連付けられたデータの出力先を振り分ける。例えば、ユーザーにより印刷が指示された場合は、データをプリンターデバイス出力部８０に送り、ユーザーにより表示が指示された場合は、データをモニターデバイス出力部９０に送る。
プリンターデバイス出力部８０は、送られたデータをプリンタードライバーに送る。プリンタードライバーは、印刷すべき画像の解像度を変換する解像度変換機能、ＲＧＢのカラー画像データをＣＭＹＫのインク量データに変換する色変換機能、インク毎にハーフトーン処理を施して印刷画素毎にドット形成データを生成するハーフトーン機能およびドット形成データを所定の配列に並べるデータ配列機能等を備え、印刷ジョブを生成する。生成された印刷ジョブはカラープリンター４０に送られることで、入力された画像は印刷用紙に印刷される。尚、プリンタードライバーの色変換機能を用いて色変換を行う際、プロファイル適用部６０の処理を再度実行しても良い。
【００２０】
モニターデバイス出力部９０は、モニターカラーマッチング部９５を備え、送られたデータに対して、更にカラーディスプレイ３０毎のＩＣＣプロファイルを更に適用した後、カラーディスプレイ３０に送ることで、入力された画像はカラーディスプレイ３０に表示される。図３は、カラーディスプレイ３０に表示される画像の表示例である。ウィンドウ３２の上部領域３４には、プロファイル適用部６０で処理された画像が表示される。また、ウィンドウ３２の下部領域３６には、表示サイズの選択スイッチ、プロファイル適用部６０の処理有効スイッチ、用紙種類選択ボックスおよびマッチング方法選択ボックス等が表示される。尚、出力プロファイル適用部６６で施される処理は、印刷および表示を問わず共通であり、プロファイル適用部６０で処理された画像の色合いやレイアウトは、印刷用紙に印刷されるものと略同一になる。
【００２１】
図４は、アプリケーションプログラムが含むソフトプルーフ機能の処理の流れを示すフローチャートである。最初に、対象となる画像データが入力される（ステップＳ１００）。次に、入力された画像データに対して入力プロファイルが適用され（ステップＳ１０５）、続いて、作業プロファイルが適用され（ステップＳ１１０）、レイアウトの画像枠に画像が流し込まれた後（ステップＳ１１５）、出力プロファイルが適用される（ステップＳ１２０）。
次に、画像ファイルの出力先が判定される（ステップＳ１２５）。ここで、プリンターデバイスに出力すると判定された場合（ステップＳ１２５で「プリンターデバイス」）、画像データはプリンターデバイスに送られた後、プリンターデバイスから出力され（ステップＳ１４０）、一連の処理を終了する。他方で、モニターデバイスに出力すると判定された場合（ステップＳ１２５で「モニターデバイス」）、モニターカラーマッチングが適用され（ステップＳ１３０）、画像データはモニターデバイスに送られて出力され（ステップＳ１３５）、一連の処理を終了する。
以上の処理により、実際に印刷した印刷物と同等の色合いやレイアウトを、ユーザインターフェイス画面上でシミュレートし、印刷することなく印刷結果の色合いやレイアウトを確認できる。
【００２２】
本発明の実施形態について、図面を参照して説明したが、具体的な構成は、この実施形態に限られるものではなく、本発明の要旨を逸脱しない範囲の設計変更等も含まれる。例えば、上述した実施形態において、ハードウェアによって実現されていた構成の一部をソフトウェアに置き換えて実現しても良く、逆に、ソフトウェアによって実現されていた構成の一部をハードウェアに置き換えて実現しても良い。
【図面の簡単な説明】
【００２３】
【図１】本発明の実施形態に係るソフトプルーフシステムのハードウェア構成の概略を示す構成図。
【図２】コンピューター装置上に構築されるソフトプルーフ機能の一部を示すブロック図。
【図３】カラーディスプレイに表示される画像の表示例を示す図。
【図４】ソフトプルーフ機能の処理の流れを示すフローチャート。
【符号の説明】
【００２４】
５…ソフトプルーフシステム、１０…コンピューター装置、１２…ＣＰＵ、１４…ハードディスク装置、１６…キーボード、１８…マウス、２０…ＲＡＭ、２２…ＲＯＭ、２４…インターフェイス、２６…バス、３０…カラーディスプレイ、３２…ウィンドウ、３４…上部領域、３６…下部領域、４０…カラープリンター、５０…画像データ入力部、６０…プロファイル適用部、６２…入力プロファイル適用部、６４…作業プロファイル適用部、６６…出力プロファイル適用部、７０…出力選択部、８０…プリンターデバイス出力部、９０…モニターデバイス出力部、９５…モニターカラーマッチング部。
【図１】
2010166113.tif 000003
【図２】
2010166113.tif 000004
【図４】
2010166113.tif 000005
【図３】
2010166113.tif 000006